(57)【特許請求の範囲】
【請求項１】
梁（2）又は柱（22）に、帯状平板部（10a）（24a）と該帯状平板部（10a）（24a）の両側に該平板部（10a）（24a）に対して垂直に形成された立ち上り部（10b）（10c）と該一対の立ち上り部（10b）（10c）の上端のそれぞれに該立ち上り部（10b）（10c）に対して直角方向に屈折された平面部（10e）（10d）（24b）（24c）とから成るパネル（10）（24）を複数並列配置し、前記パネル（10）（24）の一対の平面部（10d）（10e）（24c）（24b）のうち一方（10e）（24b）を該パネル（10）（24）の外方向に向けて屈折し、他方（10d）（24c）をパネル（10）（24）の内方向に向けて屈折し、互いに隣接する平面部を、前記外方向に向けて屈折した一方（10e）（24b）を上に、前記内方向に向けて屈折した他方（10d）（24c）を下にして重ね合わせ、前記外方向に向けて屈折した一方（10e）（24b）を更に下向きに屈折して垂直部(10f)を形成し、前記各パネル（10）（24）の帯状平板部（10a）（24a）を止着具によって前記梁（2）又は柱（22）に固定し、前記並列状の各パネル（10）（24）上に屋根材（16）又は壁材（30）などの外囲板を配置し、該外囲板を止着具によって前記パネル（10）（24）の平面部（10e）（10d）（24b）（24c）に固定し、前記各パネル（10）（24）の帯状平板部（10a）（24a）と立ち上り部（10b）（10c）とで囲まれた凹入部に断熱・防音材（14）（28）を嵌入配置したことを特徴とする外囲体。
【発明の詳細な説明】
【０００１】
【発明の属する技術分野】
本発明は、屋根或いは外壁として用いられる外囲体に関する。
【０００２】
【従来の技術】
従来の建築では図４に示すようにＨ型鋼などの梁２に該梁２に溶接などによって固着したピース４を介してボルト６によってＣ型鋼などから成る胴縁材８を架設し、以って、建物の下地溝造を構成している。
【０００３】
【発明が解決しようとする課題】
上記のような下地溝造では、胴縁材を梁に固定するのにピースを用いているため部品点数が多くなってコスト高となる。しかも、胴縁材間に空間が形成されるため気密性が損なわれるとともに、胴縁材間に防音・断熱材を敷き込むには、胴縁材間にネットを配設したり、或いは帯板を架設して、これらによって防音・断熱材を、下に垂れないように支持する必要があった。
本発明は、上記課題を解決することを目的とするものである。
【０００４】
【課題を解決する手段】
上記目的を達成するため、本発明は、梁（2）又は柱（22）に、帯状平板部（10a）（24a）と該帯状平板部（10a）（24a）の両側に該平板部（10a）（24a）に対して垂直に形成された立ち上り部（10b）（10c）と該一対の立ち上り部（10b）（10c）の上端のそれぞれに該立ち上り部（10b）（10c）に対して直角方向に屈折された平面部（10e）（10d）（24b）（24c）とから成るパネル（10）（24）を複数並列配置し、前記パネル（10）（24）の一対の平面部（10d）（10e）（24c）（24b）のうち一方（10e）（24b）を該パネル（10）（24）の外方向に向けて屈折し、他方（10d）（24c）をパネル（10）（24）の内方向に向けて屈折し、互いに隣接する平面部を、前記外方向に向けて屈折した一方（10e）（24b）を上に、前記内方向に向けて屈折した他方（10d）（24c）を下にして重ね合わせ、前記外方向に向けて屈折した一方（10e）（24b）を更に下向きに屈折して垂直部(10f)を形成し、前記各パネル（10）（24）の帯状平板部（10a）（24a）を止着具によって前記梁（2）又は柱（22）に固定し、前記並列状の各パネル（10）（24）上に屋根材（16）又は壁材（30）などの外囲板を配置し、該外囲板を止着具によって前記パネル（10）（24）の平面部（10e）（10d）（24b）（24c）に固定し、前記各パネル（10）（24）の帯状平板部（10a）（24a）と立ち上り部（10b）（10c）とで囲まれた凹入部に断熱・防音材（14）（28）を嵌入配置したものである。
【０００５】
【発明の実施の形態】
以下に本発明の実施の形態を添付した図面を参照して説明する。
図１において、２は建物の屋根下地材を構成する梁であり、Ｈ型鋼などから構成されている。前記梁２は所定間隔を存して複数建物の上部に架設されている。１０は長尺帯状の鋼板などから成るパネルであり、該パネル１０は、複数、梁２上に、各々が該梁２に対して直交する方向に向いて、互いに並列状に配置されている。
【０００６】
前記各パネル１０は、図２に示すように、断面形状が略コ字状に構成され、該各パネル１０は、帯状平板部１０ａと、その両側に形成された、立ち上り部１０ｂ，１０ｃと、該立ち上り部１０ｂ，１０ｃのうちの一方の立ち上り部１０ｂの上端に、内側に向けて水平方向に屈折された所定幅の内側平面部１０ｄと、他方の立ち上り部１０ｃの上端に、外側に向けて水平方向に屈折された前記平面部１０ｄと略同一幅の外側平面部１０ｅと、該外側平面部１０ｅと連続して下向きに屈折された垂直部１０ｆとを備えている。
【０００７】
前記各パネル１０の立ち上り部１０ｂ，１０ｃの高さは互いに略同一に設定されている。梁２上に並列に配置された同一形状の各パネル１０は、互いに隣接する立ち上り部１０ｃ，１０ｂどうしが当接し、且つ、互いに隣接する内側平面部１０ｄと外側平面部１０ｅが重なり合い垂直部１０ｆが平面部１０ｄと係合している。前記各パネル１０の帯状平板部１０ａはボルト１２によって梁２の上位水平部２ａに固定されている。
【０００８】
前記各パネル１０の帯状平板部１０ａと両立ち上り部１０ｂ，１０ｃとで囲まれた凹入部には、グラスウールなどから成る断熱・防音材１４が嵌入配置されている。１６は各パネル１０上に配置された波状鋼板などから成る屋根材（外囲体）であり、該屋根材１６はボルト１８によって、一対のパネル１０の互いに重なった平面部１０ｄ，１０ｅに止められている。前記梁２、パネル１０、断熱・防音材１４及び屋根材１６によって屋根２０を構成している。
【０００９】
次に本発明の他の実施の形態を図３を参照して説明する。
２２は建物の外壁下地材を構成する柱であり、Ｈ型鋼などから構成されている。前記柱２２は、所定間隔を存して複数立設されている。２４は、複数のパネルであり、柱２２の平板部２２ａに並列に複数配置されている。各パネル２４の形状は、第１の実施の形態のパネル１０と同一である。
【００１０】
各パネル２４は柱２２に対して直角に配置され、各々の帯状平板部２４ａが、ボルト２６によって柱２２の平板部２２ａに固定されている。各パネル２４の凹入部には、グラスウールなどの断熱・防音材２８が嵌入配置され、その上に凹凸波状の鋼板などから成る壁材３０（外囲板）が配置されている。
【００１１】
前記壁材３０はボルト３２によって一対のパネル２４の互いに重なった平面部２４ｂ，２４ｃに止められている。上記柱２２、パネル２４、断熱・防音材２８、及び壁材３０によって外壁３４を構成している。
【００１２】
【発明の効果】
本発明は上述の如く、柱や梁間の空間を並列状の複数のコ字状のパネルによって塞ぐことができるのでこのパネルの凹入部に断熱・防音材を敷き込むことができる。また、パネルの立ち上り部の平面部に種々な形状の外囲板を取り付けることができ、表裏一体構造の気密性の優れた低コストの屋根、外壁などの外囲体を構成することができる効果が存する。
【図面の簡単な説明】
【図１】本発明の実施の形態の一つである屋根の外観図である。
【図２】本発明の実施の形態の一つである屋根の断面図である。
【図３】本発明の他の実施の形態を示す外壁の外観説明図である。
【図４】従来技術の外観説明図である。
【符号の説明】
２  梁
４  ピース
６  ボルト
８  胴縁材
１０  パネル
１０ａ  帯状平板部
１０ｂ  立ち上り部
１０ｃ  立ち上り部
１０ｄ  内側平面部
１０ｅ  外側平面部
１０ｆ  垂直部
１２  ボルト
１４  断熱・防音材
１６  屋根材
１８  ボルト
２０  屋根（外囲板）
２２  柱
２４  パネル
２４ａ  帯状平板部
２６  ボルト
２８  断熱・防音材
３０  壁材（外囲板）
３２  ボルト
３４  外壁
【図１】
0003627198.tif 000002
【図２】
0003627198.tif 000003
【図３】
0003627198.tif 000004
【図４】
0003627198.tif 000005